【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
（１）  挿入糸（１１）と地経糸（１４）によって構成される弾性ベース経編地に表糸（１５）を編み込んで構成されており、
（２）  地経糸（１４）は、ニードルループ（１２）とシンカーループ（１３）を形成しつつ編み込まれており、
（３）  挿入糸（１１）は、ニードルループを形成することなく複数列のウエール間で編幅方向（２３）に振り動かされて移動しつつ編み込まれ、地経糸（１４）の形成するニードルループ（１２）とシンカーループ（１３）の間に挟まれて係止されており、
（４）  表糸（１５）は、地経糸（１４）が形成する弾性ベース経編地のニードルループ（１２）と一体になったニードルループ（１６）を形成しており、
（５）  その表糸（１５）のシンカーループ（１７）は、弾性ベース経編地の表面に浮き出ており、
（６）  その弾性ベース経編地の表面に浮き出た表糸（１５）のシンカーループ（１７）は、身体支持用弾性経編地の表面を構成しており、
（７）  表糸（１５）は、単繊維繊度１０ｄｔｅｘ以下の多数の繊維によって構成された多繊糸条であり、
（８）  挿入糸（１１）は、単繊維繊度が７０ｄｔｅｘ以上であり、１０％伸長時の伸長応力が０．１ｃＮ／ｄｔｅｘ以上のエラストマー弾性糸によって構成されていることを特徴とする身体支持用弾性経編地。
【請求項２】
（１）  表糸（１５）が部分的に糸抜きされた筬によって編み込まれており、
（２）  身体支持用弾性経編地の表面に、凹凸（１８・１９）が形成されており、
（３）  その凹部（１８）は、表糸（１５）のシンカーループ（１７）の介在しない糸抜き凹部であり、
（４）  その凸部（１９）は、表糸（１５）のシンカーループ（１７）が介在する凸部であり、
（５）  それらの凹部（１８）と凸部（１９）が、隣り合うウエールの表糸（１５）のニードルループ（１６）と表糸（１５）のニードルループ（１６）の間に形成されている前掲請求項１に記載の身体支持用弾性経編地。
【請求項３】
（１）  表糸（１５）が弾性ベース経編地の表面にメッシュ経編地を形成しており、
（２）  糸抜き凹部（１８）が凸部（１９）によって囲まれた糸抜き穴（２０）を形成している前掲請求項２に記載の身体支持用弾性経編地。
【請求項４】
（１）  地経糸（１４）が鎖編みされて編成長さ方向（２４）に続く鎖編目列（２１）を形成しており、
（２）  絡み糸（２２）が、編幅方向（２３）に振り動かされて編み込まれ、地経糸の鎖編目列（２１）に絡み付いており、
（３）  その絡み糸（２２）は、単繊維繊度が７０ｄｔｅｘ以上であり、１０％伸長時の伸長応力が０．１ｃＮ／ｄｔｅｘ以上のエラストマー弾性糸によって構成されている前掲請求項１と２と３の何れかに記載の身体支持用弾性経編地。
【請求項５】
地経糸（１４）が、単繊維繊度が７０ｄｔｅｘ以上であり、１０％伸長時の伸長応力が０．１ｃＮ／ｄｔｅｘ以上のエラストマー弾性糸によって構成されている前掲請求項４に記載の身体支持用弾性経編地。
【請求項６】
（１）  挿入糸（１１）と地経糸（１４）と絡み糸（２２）の各エラストマー弾性糸の単繊維繊度が、７０ｄｔｅｘ以上であり、
（２）  それらのエラストマー弾性糸（１１・１４・２２）の１０％伸長時の伸長応力が、０．１ｃＮ／ｄｔｅｘ以上であり、
（３）  表糸（１５）の総繊度が、それらの各弾性糸の総繊度よりも太い前掲請求項５に記載の身体支持用弾性経編地。
【請求項７】
地経糸（１４）が、表糸（１５）よりも総繊度の細い多繊糸条である前掲請求項４に記載の身体支持用弾性経編地。
【請求項８】
表糸（１５）の総繊度が、挿入糸（１１）の総繊度の１．１倍〜４．０倍であり、地経糸（１４）の総繊度の１．１倍〜４．０倍である前掲請求項１と２と３と４と５と６と７の何れかに記載の身体支持用弾性経編地。
【請求項９】
（１）  挿入糸（１１）が、第１群の挿入糸（１１ａ）と第２群の挿入糸（１１ｂ）によって構成されており、
（２）  それらの第１群の挿入糸（１１ａ）と第２群の挿入糸（１１ｂ）は、それぞれ同じコースにおいて複数列のウエール間で振り動かされて編み込まれており、
（３）  その振り動かされて移動する第１群の挿入糸（１１ａ）の移動方向（２３）と第２群の挿入糸（１１ｂ）の移動方向（２３）が互いに逆向きになっている前掲請求項１と２と３と４と５と６と７と８の何れかに記載の身体支持用弾性経編地。
【請求項１０】
弾性ベース経編地を構成する挿入糸（１１）と地経糸（１４）が、それぞれ部分的に糸抜きされた筬によって編み込まれている前掲請求項１と２と３と４と５と６と７と８と９の何れかに記載の身体支持用弾性経編地。
【請求項１１】
（１）  編成長さ方向（２４）の単位長さ（２５．４ｍｍ）において、挿入糸（１１）が編幅方向（２３）に振り動かされて移動して編み込まれるコースの数として示される挿入糸編込密度（Ｐ）（単位：コース数／２５．４ｍｍ）と、挿入糸（１１）が編み込まれるコースにおいて編幅方向（２３）に振り動かされて移動するウエール列の数（Ｌ）（単位：ウエール数）との積（Ｐ×Ｌ）として示される挿入糸編込量Ｒ（＝Ｐ×Ｌ）が、編成長さ方向（２４）において変化しており、
（２）  編幅方向（２３）における身体支持用弾性経編地の１０％伸長時の伸長応力が、その挿入糸編込量（Ｒ）（＝Ｐ×Ｌ）に応じて、編成長さ方向（２４）において変化している前掲請求項１と２と３と４と５と６と７と８と９と１０の何れかに記載の身体支持用弾性経編地。
【手続補正２】
【補正対象書類名】明細書
【補正対象項目名】全文
【補正方法】変更
【補正の内容】
【発明の詳細な説明】
【発明の名称】身体支持用弾性経編地
【技術分野】
【０００１】
本発明は、座椅子、椅子、腰掛け、背凭れ、脚載せ、座席、ソファー、ベット等の身体支持装置品の身体を支える腰掛け面や背凭れ面等のクッション面に使用される身体支持用弾性経編地に関するものである。
更に詳しく説明すると、本発明は、腰掛け面や背凭れ面等のクッション面において向き合う支桿と支桿の間に張設される身体支持用弾性経編地に関するものである。
【背景技術】
【０００２】
経編機を使用し、編糸によって形成されるニードルループよりも大きく、複数コースにわたって連続した開口を有するメッシュ経編地は公知である（特許文献１、２、３参照）。経編機を使用し、主編糸によって形成されるベース編地のコース方向（編幅方向）に一直線状に挿入糸が緯糸として編み込まれている緯糸挿入経編地、および、経編機を使用し、主編糸によって形成されるベース編地のウエール方向（編成長さ方向）に一直線状に挿入糸が経糸として編み込まれている経糸挿入経編地は公知である（特許文献４、５参照）。弾性糸が編み込まれている弾性経編地は公知である（特許文献４、６、７参照）。ポリエーテル系エステル弾性糸を弾性経編地に使用することは公知である（特許文献６参照）。
【０００３】
メッシュ経編地をクッション面に使用した身体支持装置品は、通気性がよく、蒸れ感を与えない。
しかし、メッシュ経編地は、弛緩し易く、弛み皺が発生し易い。
このため、メッシュ経編地をクッション面に使用した身体支持装置品は、耐久性に欠ける。
弛緩し難く、弛み皺が発生し難い点では、弾性糸を挿入糸として一直線状にウエール方向（編成長さ方向）やコース方向（編幅方向）に編み込んだ緯糸挿入経編地や経糸挿入経編地は、優れている。
そのためには、弾性糸の長さ方向における経編地の１０％伸長時の伸長応力が１００（Ｎ／５ｃｍ）以上になるように、単糸繊度が１５０ｄｔｅｘ以上のモノフィラメント弾性糸を緻密に編み込む必要がある。
しかし、単糸繊度が１５０ｄｔｅｘ以上のモノフィラメント弾性糸は、釣糸のように太く、平滑であり、表面光沢が強い。
このため、単糸繊度が１５０ｄｔｅｘ以上のモノフィラメント弾性糸を編み込んだ緯糸挿入経編地や経糸挿入経編地は、外観がプラスチック調で落ち着きを欠き、触感や風合いが硬く、滑り易い。
従って、単糸繊度が１５０ｄｔｅｘ以上のモノフィラメント弾性糸を編み込んだ緯糸挿入経編地や経糸挿入経編地によっては、商品価値のある身体支持装置品は得られない。
【０００４】
ダブルラッシェル経編機を使用し、表布と裏布を連結糸によって連結して編成され、その表布に開口面積１ｍｍ2 以上の糸抜きメッシュ孔があり、その裏布と連結糸に弾性糸を使用した二重弾性経編地は公知である（特許文献８参照）。
【０００５】
複数コースにわたって連続したニードルループよりも大きい糸抜きメッシュ孔のあるメッシュ経編地に、表面が平滑で強い光沢のある弾性糸と共に、無数の繊維毛羽やパイル繊維によって表面が構成されており、嵩高で見掛け太さが太い挿入糸を、コース方向またはウエール方向に一直線状に編み込んだ平編弾性経編地は公知である（特許文献９参照）。
【先行技術文献】
【特許文献】
【０００６】
【特許文献１】特開平１１−２７９９０６号公報
【特許文献２】実開昭５６−１０３０８０号公報
【特許文献３】実開昭５４−１３９７７９号公報
【特許文献４】特開平１１−２７９９０７号公報
【特許文献５】実公平３−３６５５５号公報
【特許文献６】特許第３０９６３５６号公報
【特許文献７】特公昭６２−６０４８９号公報
【特許文献８】国際公開ＷＯ２００４／０１５１８１公報
【特許文献９】国際公開ＷＯ２００４／０２２８２７公報
【発明の概要】
【発明が解決しようとする課題】
【０００７】
国際公開ＷＯ２００４／０１５１８１公報（特許文献８）に開示された二重弾性経編地は、表布と裏布の間が空隙層となっているのでクッション性に富む。
弾性糸は、裏布と連結糸に使用されているが、表布には使用されていない。
しかし、連結糸は、表布において、その表布を構成する表糸と一体になったニードルループを形成している。
そのため、表布は、連結糸（弾性糸）に起因して滑り易くなる。
又、表布は、表糸と一体になった連結糸（弾性糸）のニードルループに起因して光沢を帯びる。
従って、国際公開ＷＯ２００４／０１５１８１公報（特許文献８）に開示された二重弾性経編地は、プラスチック製品に似た単調な外観を呈する。
【０００８】
国際公開ＷＯ２００４／０２２８２７公報（特許文献９）に開示された平編弾性経編地は、糸抜きメッシュ孔が形成されているので、通気性が高く、清涼感を与え、蒸れ感を与えない。
しかし、その平編弾性経編地に編み込まれた弾性糸の弾性は、その弾性糸と共に編み込まれる繊維毛羽やパイル繊維に包まれた太い挿入糸によって損なわれる。
そして、その平編弾性経編地の糸抜きメッシュ孔から弾性糸の光沢が現われる。
従って、その平編弾性経編地もプラスチック製品に似た単調な外観を呈する。
【０００９】
弾性糸と多繊糸条によって編成される平編弾性経編地の編成長さ方向（ウエール方向）における弾性を確保するため、弾性糸を地経糸に使用し、それをフロント筬に導入して編み込み、編成長さ方向に続く鎖編目列を弾性糸によって形成することを試みた。
しかし、弾性糸が形成するシンカーループとニードルループは、多繊糸条が形成するシンカーループやニードルループのようには変形し難い。
そのため、弾性糸が形成するシンカーループやニードルループからは、顆粒体に触れたかの如く硬い感触を受ける。
従って、弾性糸と多繊糸条によって編成される平編弾性経編地からは、柔らかい感触を受けない。
【００１０】
そこで本発明は、プラスチック製品に似た表面光沢がなく、表面が単繊維繊度の細かい繊維に覆われていて滑り難く、柔らかい感触を与える弾性経編地を得ることを第１の目的とする。
本発明の第２の目的は、編幅方向における伸度と伸長応力と編成長さ方向における伸度と伸長応力のバランスがとれ、編幅方向と編成長さ方向との二方向に緊張して張設することが出来、従って、編幅方向にだけ強く緊張して張設する必要がなく、身体支持装置品のクッション面に作用する体重が編幅方向と編成長さ方向との二方向に均等に分散し、柔らかい感触を与える弾性経編地を得ることにある。
本発明の第３の目的は、身体支持装置品のクッション面に使用するとき、蒸れ感を与えない通気性に富む弾性経編地を得ることにある。
本発明の他の目的は、目付けが少なく、薄く、表面に細かい凹凸があり、梨子地調の感触を与え、見るからに清涼感を与え、外観が清楚な弾性経編地を得ることにある。
【課題を解決するための手段】
【００１１】
本発明に係る身体支持用弾性経編地は、
（１）  挿入糸１１と地経糸１４によって構成される弾性ベース経編地に表糸１５を編み込んで構成されており、
（２）  地経糸１４は、ニードルループ１２とシンカーループ１３を形成しつつ編み込まれており、
（３）  挿入糸１１は、ニードルループを形成することなく複数列のウエール間で編幅方向２３に振り動かされて移動しつつ編み込まれ、地経糸１４の形成するニードルループ１２とシンカーループ１３の間に挟まれて係止されており、
（４）  表糸１５は、地経糸１４が形成する弾性ベース経編地のニードルループ１２と一体になったニードルループ１６を形成しており、
（５）  その表糸１５のシンカーループ１７は、弾性ベース経編地の表面に浮き出ており、
（６）  その弾性ベース経編地の表面に浮き出た表糸１５のシンカーループ１７は、身体支持用弾性経編地の表面を構成しており、
（７）  表糸１５は、単繊維繊度１０ｄｔｅｘ以下の多数の繊維によって構成された多繊糸条であり、
（８）  挿入糸１１は、単繊維繊度が７０ｄｔｅｘ以上であり、１０％伸長時の伸長応力が０．１ｃＮ／ｄｔｅｘ以上のエラストマー弾性糸によって構成されていることを第１の特徴とする。
【００１２】
本発明に係る身体支持用弾性経編地の第２の特徴は、上記第１の特徴に加えて、
（１）  表糸１５が部分的に糸抜きされた筬によって編み込まれており、
（２）  身体支持用弾性経編地の表面に、凹凸（１８・１９）が形成されており、
（３）  その凹部１８は、表糸１５のシンカーループ１７の介在しない糸抜き凹部であり、
（４）  その凸部１９は、表糸１５のシンカーループ１７が介在する凸部であり、
（５）  それらの凹部１８と凸部１９が、隣り合うウエールの表糸１５のニードルループ１６と表糸１５のニードルループ１６の間に形成されている点にある。
【００１３】
本発明に係る身体支持用弾性経編地の第３の特徴は、上記第２の特徴に加えて、
（１）  表糸１５が弾性ベース経編地の表面にメッシュ経編地を形成しており、
（２）  糸抜き凹部１８が凸部１９によって囲まれた糸抜き穴２０を形成している点にある。
【００１４】
本発明に係る身体支持用弾性経編地の第４の特徴は、上記第１、第２、第３の何れかの特徴に加えて、
（１）  地経糸１４が鎖編みされて編成長さ方向２４に続く鎖編目列２１を形成しており、
（２）  絡み糸２２が、編幅方向２３に振り動かされて編み込まれ、地経糸の鎖編目列２１に絡み付いており、
（３）  その絡み糸２２は、単繊維繊度が７０ｄｔｅｘ以上であり、１０％伸長時の伸長応力が０．１ｃＮ／ｄｔｅｘ以上のエラストマー弾性糸によって構成されている点にある。
【００１５】
本発明に係る身体支持用弾性経編地の第５の特徴は、上記第４の特徴に加えて、地経糸１４が、単繊維繊度が７０ｄｔｅｘ以上であり、１０％伸長時の伸長応力が０．１ｃＮ／ｄｔｅｘ以上のエラストマー弾性糸によって構成されている点にある。
【００１６】
本発明に係る身体支持用弾性経編地の第６の特徴は、上記第５の特徴に加えて、
（１）  挿入糸１１と地経糸１４と絡み糸２２の各エラストマー弾性糸の単繊維繊度が、７０ｄｔｅｘ以上であり、
（２）  それらのエラストマー弾性糸（１１・１４・２２）の１０％伸長時の伸長応力が、０．１ｃＮ／ｄｔｅｘ以上であり、
（３）  表糸１５の総繊度が、それらの各弾性糸の総繊度よりも太い点にある。
【００１７】
本発明に係る身体支持用弾性経編地の第７の特徴は、上記第４の特徴に加えて、地経糸１４が、表糸１５よりも総繊度の細い多繊糸条である点にある。
【００１８】
本発明に係る身体支持用弾性経編地の第８の特徴は、上記第１、第２、第３、第４、第５、第６、第７の何れかの特徴に加えて、表糸１５の総繊度が、挿入糸１１の総繊度の１．１倍〜４．０倍であり、地経糸１４の総繊度の１．１倍〜４．０倍である点にある。
【００１９】
本発明に係る身体支持用弾性経編地の第９の特徴は、上記第１、第２、第３、第４、第５、第６、第７、第８の何れかの特徴に加えて、
（１）  挿入糸１１が、第１群の挿入糸１１ａと第２群の挿入糸１１ｂによって構成されており、
（２）  それらの第１群の挿入糸１１ａと第２群の挿入糸１１ｂは、それぞれ同じコースにおいて複数列のウエール間で振り動かされて編み込まれており、
（３）  その振り動かされて移動する第１群の挿入糸１１ａの移動方向（２３）と第２群の挿入糸１１ｂの移動方向（２３）が互いに逆向きになっている点にある。
【００２０】
本発明に係る身体支持用弾性経編地の第１０の特徴は、上記第１、第２、第３、第４、第５、第６、第７、第８、第９の何れかの特徴に加えて、弾性ベース経編地を構成する挿入糸１１と地経糸１４が、それぞれ部分的に糸抜きされた筬によって編み込まれている点にある。
【００２１】
本発明に係る身体支持用弾性経編地の第１１の特徴は、上記第１、第２、第３、第４、第５、第６、第７、第８、第９、第１０の何れかの特徴に加えて、
（１）  編成長さ方向２４の単位長さ（２５．４ｍｍ）において、挿入糸１１が編幅方向２３に振り動かされて移動して編み込まれるコースの数として示される挿入糸編込密度Ｐ（単位：コース数／２５．４ｍｍ）と、挿入糸１１が編み込まれるコースにおいて編幅方向２３に振り動かされて移動するウエール列の数Ｌ（単位：ウエール数）との積（Ｐ×Ｌ）として示される挿入糸編込量Ｒ（＝Ｐ×Ｌ）が、編成長さ方向２４において変化しており、
（２）  編幅方向２３における身体支持用弾性経編地の１０％伸長時の伸長応力が、その挿入糸編込量Ｒ（＝Ｐ×Ｌ）に応じて、編成長さ方向２４において変化している点にある。
【発明の効果】
【００２２】
本発明の身体支持用弾性経編地においては、挿入糸１１と地経糸１４に成る弾性ベース経編地の表面が、多繊糸条に成る表糸１５のシンカーループ１７に覆われる。
その表糸１５は、その単繊維繊度が１０ｄｔｅｘ以下であり、単繊維繊度が７０ｄｔｅｘ以上の挿入糸１１や地経糸１４よりも嵩高に開毛する。
従って、表糸１５の見かけ太さは、挿入糸１１や地経糸１４の見かけ太さよりも太くなる。
そのため、弾性ベース経編地の表面は、表糸１５のシンカーループ１７の細かい繊維に覆われる。
そして、弾性ベース経編地の光沢は、表糸１５のシンカーループ１７によって抑えられる。
従って、身体支持用弾性経編地の表面は、柔らかい感触を与え、滑り難く、プラスチック製品に似た光沢を呈さない。
【００２３】
多繊糸条に成る表糸１５が、地経糸１４のニードルループ１２と一体になったニードルループ１６を形成していても、表糸１５は、部分的に糸抜きされた筬によって編み込まれており、そのシンカーループ１７の有無によるループパイル状の凹凸を身体支持用弾性経編地の表面に形成している。
従って、身体支持用弾性経編地の表面は、梨子地調の感触を与える。
従って、仮に、釣糸のように太い弾性モノフィラメント糸が地経糸１４に使用されていても、その地経糸１４の太いニードルループ１２が硬く感じられることはない。
そして、非弾性多繊糸条が表糸１５に使用されていても、その表糸１５は、部分的に糸抜きされた筬によって編み込まれており、シンカーループ１７の有無によるループパイル状の凹凸を形成している。
そのため、表糸１５は、弾性ベース経編地の伸縮弾性を阻害しない。
【００２４】
本発明の身体支持用弾性経編地は、表糸１５によって構成されるメッシュ経編地と、挿入糸１１と地経糸１４によって構成される弾性ベース経編地が一体になった二層構造を構成している。
しかし、前記特許文献８に開示されたダブルラッシェル二重弾性経編地とは異なり、本発明の身体支持用弾性経編地の弾性ベース経編地とメッシュ経編地の間には、連結糸が林立した空隙層は介在しない。
従って、本発明の身体支持用弾性経編地は、前記特許文献８に開示されたダブルラッシェル二重弾性経編地に比してクッション性を欠く。
しかし、本発明の身体支持用弾性経編地は、ダブルラッシェル二重弾性経編地に比して薄くなるので、暑苦しく感じられず、柔らかく感じられ、清楚な印象を与える。
【００２５】
在来の挿入糸と地経糸に成る弾性経編地では、その挿入糸と地経糸に同一仕様の弾性モノフィラメント糸が使用されていても、その隣り合う挿入糸は、複数列のウエール間で隣り合って並び、恰も１本の糸条を構成しているかの如く一直線状に連続し、編幅方向に強い伸長応力を発揮する。
しかし、挿入糸は、編成長さ方向にジグザグに続くので、編成長さ方向には格別伸長応力を発揮しない。
一方、在来の挿入糸と地経糸に成る弾性経編地では、地経糸は、ニードルループを形成しており、挿入糸のように地経糸が直線状を成す部分は介在せず、編幅方向にも編成長さ方向にも強い伸長応力を発揮しない。
特に、鎖編みされて編成長さ方向に続く鎖編目列を形成している地経糸は、編幅方向には伸長応力を発揮しない。
従って、挿入糸と地経糸に弾性糸を用いた在来の弾性経編地は、編幅方向には伸び難く、編成長さ方向に伸び易い。
そのように縦横の伸縮弾性が異なるので、在来の弾性経編地は、その伸び難い編幅方向に強く緊張して身体支持装置品の支桿と支桿の間に張設することになる。
その結果、在来の弾性経編地が張設されたクッション面は平板のように硬くなる。
【００２６】
この点、本発明の身体支持用弾性経編地では、弾性糸に成る絡み糸２２は、ニードルループもシンカーループも形成することなく、鎖編目列２１にジグザグに絡み付く。
従って、弾性糸に成る絡み糸２２は編成長さ方向２４に強い伸長応力を発揮する。
その結果、本発明の身体支持用弾性経編地の縦横の伸縮弾性のバランスは、編幅方向２３に伸縮して伸長応力を発揮する挿入糸１１と、編成長さ方向２４に伸縮して伸長応力を発揮する絡み糸２２とによって保たれる。
従って、身体支持装置品に張設する際に、本発明の身体支持用弾性経編地を編幅方向２３にだけ強く緊張する必要はない。
そして、その身体支持用弾性経編地の張設されたクッション面は、編幅方向２３での挿入糸１１による伸長応力と、編成長さ方向２４での絡み糸２２による伸長応力とによって緊張状態に保たれる。
そのように、挿入糸１１によって編幅方向２３に緊張状態に保たれるだけではないので、その編幅方向２３における挿入糸１１の伸長応力を弱めることが出来る。
そして、クッション面に作用する体重は、編幅方向２３と編成長さ方向２４との二方向に均等に分散される。
その結果、本発明の身体支持用弾性経編地の張設されたクッション面は、柔らかい感触を与える。
【００２７】
座椅子や椅子、座席等の座面に張設される身体支持用弾性経編地では、その編成長さ方向と編幅方向における１０％伸長時の伸長応力は、それぞれ３００Ｎ／５ｃｍ以下、好ましくは２００〜２５０Ｎ／５ｃｍに設定される。
しかし、背面では編成長さ方向と編幅方向における１０％伸長時の伸長応力を座面よりも弱く１００〜１７０Ｎ／５ｃｍに設定するとよいとされる。
その点、本発明では、そのように、編幅方向２３にだけ強く緊張する必要はないので、身体支持用弾性経編地の編成長さ方向２４における１０％伸長時の伸長応力と、編幅方向２３における１０％伸長時の伸長応力を、それぞれ１５０Ｎ／５ｃｍ以下に設定することが出来る。
【００２８】
地経糸１４のニードルループ１２とシンカーループ１３によって構成される鎖編目列２１は、構造的に伸縮自在である。
その鎖編目列２１に弾性糸に成る絡み糸２２を鎖編目列２１に絡み付ける場合には、弾性糸ではなく、表糸１５に比して総繊度の小さい（細い）多数の非弾性繊維に成る多繊糸条を地経糸１４に使用することが出来る。
構造的に伸縮自在な鎖編目列２１において、非弾性多繊糸条によって構成される地経糸１４は、弾性糸によって構成される絡み糸２２の弾性を阻害しないからである。
【００２９】
非弾性多繊糸条に成るニードルループ（１２）は、弾性糸に成るニードルループ（１２）に比して押し潰され易く、扁平に変形し易く、硬い感触を与えない。
従って、弾性糸によって構成される挿入糸１１や弾性糸によって構成される絡み糸２２に比して総繊度が細い非弾性多繊糸条を、地経糸１４に用いるときは、感触が一層柔らかい身体支持用弾性経編地が得られる。
【００３０】
単繊維繊度が７０ｄｔｅｘ以上であり、１０％伸長時の伸長応力が０．１ｃＮ／ｄｔｅｘ以上であり、釣糸のように太く滑り易い弾性モノフィラメント糸を、挿入糸１１と地経糸１４と絡み糸２２に使用する場合、表糸１５の総繊度を、挿入糸１１や地経糸１４や絡み糸２２の総繊度の１．１倍〜４．０倍にすることによって、滑り難く、柔らかい感触を与える身体支持用弾性経編地が得られる。
【００３１】
本発明では、挿入糸を第１群の挿入糸１１ａと第２群の挿入糸１１ｂの二群に分け、それら二群の挿入糸１１ａ・１１ｂを互いに逆向きに振り動かして編み込むと、挿入糸が編組織に均等に配置され、編組織的に安定した身体支持用弾性経編地が得られる。
【００３２】
本発明において、表糸１５だけではなく、挿入糸１１と地経糸１４も、部分的に糸抜きされた筬によって編み込まれている。
そのため、細かい隙間が弾性ベース経編地に発生し、弾性ベース経編地が伸縮し易くなる。
その結果、身体支持用弾性経編地の通気性が向上し、身体支持用弾性経編地の張設された身体支持装置品のクッション面は、蒸れ感を与えない。
【００３３】
上記の通り、（１）  本発明の身体支持用弾性経編地の表面は、単繊維繊度が１０ｄｔｅｘ以下であり、挿入糸１１と地経糸１４の総繊度の１．１倍〜４．０倍の太い多繊糸条に成る表糸１５のシンカーループ１７の細かい凹凸に覆われている。
従って、単繊維繊度が７０ｄｔｅｘ以上であり、釣糸のように太くて滑り易く、１０％伸長時の伸長応力が０．１ｃＮ／ｄｔｅｘ以上であり、伸び難く硬い弾性モノフィラメント糸が、ベース経編地の挿入糸１１と地経糸１４と絡み糸２２に使用されていても、身体支持用弾性経編地の表面は、滑り易くならず、柔らかい感触を有し、プラスチック製品に似た光沢のある外観を呈すことはない。
（２）  本発明の身体支持用弾性経編地の編幅方向の伸度と、編成長さ方向との伸度の均衡が保たれている。
従って、身体支持装置品に張設するとき、身体支持用弾性経編地を編幅方向と編成長さ方向との二方向に緊張することが出来、編幅方向にだけ強く緊張する必要がなくなる。
そして、身体支持用弾性経編地を編幅方向と編成長さ方向との二方向に緊張して張設したクッション面に加わる体重は、編幅方向と編成長さ方向との二方向に均等に分散する。従って、本発明の身体支持用弾性経編地を張設したクッション面は、柔らかい感触を与える。
（３）  本発明の身体支持用弾性経編地には、表糸１５のみならず挿入糸１１と地経糸１４も部分的に糸抜きされた筬によって編み込まれる。
従って、本発明の身体支持用弾性経編地には無数の細かい隙間が発生し、身体支持用弾性経編地は、伸縮し易く、そして、通気性に富み、蒸れ感を与えない。  而も、
（４）  本発明の身体支持用弾性経編地は、弾性ベース経編地とメッシュ経編地とによる二重構造になっている。
しかし、弾性ベース経編地のニードルループ１２とメッシュ経編地のニードルループ１６は、一体になっており、弾性ベース経編地とメッシュ経編地は、密着して一体になっている。
このため、本発明の身体支持用弾性経編地は、ダブルラッシェル二重弾性経編地のように分厚くならず、暑苦しい印象を与えず、薄く、感触が柔らかく、梨子地調の清楚な印象を与える。
【００３４】
上記の効果（１）〜（４）に加えて、（５）  複数列のウエール間を移動してニットループを形成することなく編み込まれる挿入糸１１は、弾性ベース経編地の中で、その移動した複数列のウエール間では編幅方向２３に真っ直ぐ連続した直線糸条のようになる。
そして、編成長さ方向２４における単位長さ当たりの挿入糸１１の直線糸条部分の数は、挿入糸編込密度Ｐが緻密なコースにおいて、多い。
そのため、その挿入糸編込密度Ｐが緻密なコースの編幅方向２３における１０％伸長時の伸長応力は、挿入糸編込密度Ｐが粗いコースの編幅方向２３における１０％伸長時の伸長応力に比して強くなる。
そして、編成過程で挿入糸１１が編幅方向２３に移動する距離、即ち、その移動に伴って交叉するウエールの数Ｌが多い場合には、その挿入糸１１が移動するコースにおいて編幅方向２３に真っ直ぐ連続した挿入糸１１の直線糸条部分の長さＬｂは、挿入糸１１が編幅方向２３に移動して交叉するウエールの数Ｌの少ないコースにおいて編幅方向２３に真っ直ぐ連続した挿入糸１１の直線糸条部分の長さＬａに比して、長くなる。
従って、挿入糸１１が編幅方向２３に移動して交叉するウエールの数Ｌの多いコースにおける挿入糸１１の編込量が、挿入糸１１が編幅方向２３に移動して交叉するウエールの数Ｌの少ないコースにおける挿入糸１１の編込量に比して多くなる。
そして、編幅方向２３における１０％伸長時の伸長応力は、挿入糸１１の編込量に比例して増減する。
従って、挿入糸１１の移動するウエールの数Ｌの多いコースにおける編幅方向２３における身体支持用弾性経編地の１０％伸長時の伸長応力は、挿入糸１１の移動するウエールの数Ｌの少ないコースにおける編幅方向２３における身体支持用弾性経編地の１０％伸長時の伸長応力に比して強くなる。
このように、挿入糸編込密度Ｐと挿入糸の移動距離（ウエール数）Ｌに比例して、編幅方向２３における１０％伸長時の伸長応力が強くなる。
従って、それらの積（Ｐ×Ｌ）として示される挿入糸編込量Ｒに比例して、編幅方向２３における身体支持用弾性経編地の１０％伸長時の伸長応力が強くなる。
そして、経編機では、編成過程において筬をサーボモーターによって編幅方向２３に往復駆動（筬振り運動）することが出来る。
その挿入糸１１が編幅方向２３に移動して交叉するウエールの数Ｌは、筬の移動量に応じて、制御することが出来る。
又、経編機では、編成過程において編成される経編地を引き出す巻取ロールをサーボモーターによって回転駆動することが出来、その巻取ロールの回転速度に応じて経編地のコース間隔Ｈが変化するので、挿入糸編込密度Ｐを巻取ロールの回転速度によって制御することが出来る。
従って、本発明によると、挿入糸編込密度Ｐと挿入糸の移動ウエール数Ｌとの積（Ｐ×Ｌ）として示される挿入糸編込量Ｒを変えることによって、編幅方向２３での１０％伸長時の伸長応力が、編成長さ方向２４において部分的に異なる身体支持用部分異硬度弾性経編地を得ることが出来る。
【図面の簡単な説明】
【００３５】
【図１】本発明に係る身体支持用弾性経編地の表面拡大図である。
【図２】本発明に係る身体支持用弾性経編地の編組織図である。
【図３】本発明に係る身体支持用弾性経編地の編組織図である。
【図４】本発明に係る身体支持用弾性経編地の編組織図である。
【発明を実施するための形態】
【００３６】
弾性糸には、総繊度が７０ｄｔｅｘ以上、好ましくは１５０ｄｔｅｘ以上、破断伸度が６０％以上、１５％伸長後の弾性回復率が９０％以上、１０％伸長時の伸長応力が０．１ｃＮ／ｄｔｅｘ以上、好ましくは０．２〜０．８ｃＮ／ｄｔｅｘ、更に好ましくは０．２〜０．４ｃＮ／ｄｔｅｘの弾性モノフィラメント糸、例えばポリエーテル系エステルエラストマーに成るモノフィラメント糸やマルチフィラメント糸を使用するとよい。
その弾性フィラメントは、鞘成分ポリマーが芯成分ポリマーよりも融点が低く、熱融着性のある芯鞘構造複合フィラメントであれば更に好都合である。
多繊糸条には、捲縮ポリエステル・マルチフィラメント糸を使用するとよい。
本発明において、表糸の総繊度を弾性糸の総繊度の１．１倍〜４．０倍にするとは、表糸に総繊度が弾性糸よりも太い多繊糸条を使用することを意味する。
その場合、『１．１倍』とは、表糸と弾性糸の総繊度が略同じであってもよいことを意味する。
表糸の総繊度を弾性糸の総繊度の４．０倍以下にする理由は、
（１）  表糸によって弾性糸の伸縮性が妨げられないようにし、
（２）  身体支持用弾性経編地が在来のダブルラッシェル二重弾性経編地のように分厚くならないようにするためである。
【００３７】
本発明に使用の弾性糸の仕様を、破断伸度が６０％以上、１５％伸長後の弾性回復率が９０％以上と規定する理由は、１％程度の僅かな伸長後の弾性回復率が９０％以上となるポリエステル繊維やポリプロピレン繊維、アクリル繊維、ナイロン、ビニロン等の通常の熱可塑性合成繊維から、本発明に使用の弾性糸を区別するためである。
本発明に使用の弾性糸の仕様を、１０％伸長時の伸長応力が０．１ｃＮ／ｄｔｅｘ以上と規定する理由は、ゴム糸やポリウレタン弾性糸のように伸び易い弾性糸を、本発明に使用の弾性糸から除外するためである。
本発明に使用の弾性糸の仕様を、単繊維繊度が７０ｄｔｅｘ以上と規定する理由は、単繊維繊度が７０ｄｔｅｘ以下の弾性糸を使用する場合には、その使用本数を多くしなければ、強度的に安定した身体支持用弾性経編地は得られず、そして、その使用本数を多くすれば、身体支持用弾性経編地が緻密になり、身体支持用弾性経編地の通気性が損なわれるからである。
弾性糸の最大総繊度は２０００ｄｔｅｘ以下にすればよい。
【００３８】
身体支持用弾性経編地の編幅方向２３における１０％伸長時の伸長応力（Ｗ）、および、編成長さ方向２４における１０％伸長時の伸長応力（Ｖ）は、それぞれ１５〜３００Ｎ／５ｃｍに設定するとよい。
その場合、編幅方向２３における１０％伸長時の伸長応力（Ｗ）は、編成長さ方向２４における１０％伸長時の伸長応力（Ｖ）の０．２倍〜１．４倍（Ｗ＝０．２Ｖ〜１．４Ｖ）に、好ましくは０．７倍〜１．２倍（Ｗ＝０．７Ｖ〜１．２Ｖ）に設定する。
そのように、編幅方向２３における１０％伸長時の伸長応力（Ｗ）と編成長さ方向２４における１０％伸長時の伸長応力（Ｖ）を同じ程度（Ｗ＝０．７Ｖ〜１．２Ｖ）に設定する場合、その何れか一方の１０％伸長時の伸長応力（Ｖ・Ｗ）を１５〜５０Ｎ／５ｃｍに設定することが望ましい。
【００３９】
身体支持用弾性経編地を編成するためには、５枚以上の筬を備え、筬針のゲージが５．５本／ｃｍ（１４ゲージ／吋）から９．５本／ｃｍ（２４ゲージ／吋）の経編機を使用するとよい。
筬針のゲージが５．５本／ｃｍ（１４ゲージ／吋）の経編機を使用する場合、ウエール密度が概して１８ウエール／２５．４ｍｍの身体支持用弾性経編地が得られる。
挿入糸１１と地経糸１４に成る弾性ベース経編地のシンカーループ面に、表糸１５のシンカーループ１７による凹凸を形成するためには、フロント筬からバック筬に向かって順次、第１筬（フロント筬）と第２筬には表糸１５ａ・１５ｂを、第３筬には地経糸１４を、第４筬には絡み糸２２を、第５筬と第６筬（バック筬）には挿入糸１１ａ・１１ｂを導入する。
【００４０】
５枚筬経編機を使用する場合には、絡み糸２２を適用せず、又、地経糸１４に弾性糸を適用する。
表糸１５ａ・１５ｂを導入する第１筬（フロント筬）と第２筬において、表糸１５は数本おきの筬針に挿通される。
その場合、その数本おきとなる数本の筬針は、表糸１５が挿通さない糸抜き筬針となる。隣り合う表糸１５と表糸１５の間の糸抜き筬針の本数が複数本であれば、他の隣り合う表糸１５と表糸１５の間の糸抜き筬針の本数は、１本であってもよい。
地経糸１４と絡み糸２２は、１本おきの筬針に挿通し、その１本おきとなる筬針は、糸条の挿通さない糸抜き筬針にするとよい。
挿入糸１１を、同じコースにおいて複数列のウエール間で振り動かされる方向（２３）が互いに逆向きとなる第１群の挿入糸１１ａと第２群の挿入糸１１ｂとの二群に分けて２枚の筬に導入する場合、それら二群の挿入糸１１ａ・１１ｂは、それぞれ１本おきの筬針に挿通し、その１本おきの筬針を糸抜きにするとよい。
８枚以上の筬を備えた経編機では、弾性糸（挿入糸）１１を第１群の挿入糸１１ａと第２群の挿入糸１１ｂと第３群の挿入糸１１ｃと第４群の挿入糸１１ｄの四群に分け、それぞれ異なる筬に導入することが出来る。
同様に、地経糸１４や表糸１５も、それぞれ複数群に分け、それぞれ異なる筬に導入することが出来る。
【００４１】
身体支持用弾性経編地の編成過程では、所要のコースにおいて挿入糸１１の編幅方向２３に振り動かされて移動する移動距離、即ち、移動ウエール数Ｌを変えることが出来る。そのように、移動ウエール数Ｌを変えることによって、編幅方向に直線状に続く挿入糸１１の直線部分の長さＬを変えることが出来る。
又、所要のコースにおいて身体支持用弾性経編地の巻取速度を変えて、身体支持用弾性経編地の挿入糸編込密度Ｐを変えることが出来る。
そのように、所要のコースにおいて、編み込まれる挿入糸１１の移動するウエール数Ｌ（直線部分の長さＬ）を変え、或いは、挿入糸編込密度Ｐを変えることによって、身体支持用弾性経編地の編幅方向における各１０％伸長時の伸長応力を部分的に変えることが出来る。
そのようにすると、一枚の連続した身体支持用弾性経編地を、座椅子や椅子の背凭れ部から腰掛け部まで連続して張設する場合、その張設する左右幅方向において向かい合う支桿と支桿との距離（座椅子や椅子の幅）が同じであっても、背凭れ部の脊椎対応部分や腰掛け部の端縁側の太股対応部分では、身体支持用弾性経編地を編幅方向に強く緊張して張設し、或いは、腰掛け部の仙骨戴承部では、身体支持用弾性経編地を編幅方向に緩めて張設することが出来る。
そのように緊張強度を部分的に変えて身体支持用弾性経編地を張設すると、クッション面に作用する体圧（体重）が分散し易い身体支持装置、即ち、体圧分散型の身体支持装置が得られる。
その結果、脊椎対応部分にランパーサポートを必ずしも張設する必要がなくなり、又、太股対応部分にバックアップシートを必ずしも張設する必要もなくなる。
従って、編幅方向における各１０％伸長時の伸長応力が部分的に変化した身体支持用弾性経編地を使用すると、身体支持装置品の構造を単純にすることが出来る。
【００４２】
身体支持用弾性経編地の編成過程において、挿入糸編込密度Ｐについては、筬を編幅方向２３に往復駆動（筬振り運動）するサーボモーターによって制御することが出来る。
又、挿入糸の移動ウエール数Ｌについても、経編地を引き出す巻取ロールを回転駆動するサーボモーターによって制御することが出来る。
そのように、挿入糸編込密度Ｐや挿入糸の移動ウエール数Ｌの制御手段には、サーボモーターだけではなく、チェーン・カム機構や歯車変速機構、変速プーリー機構等を適用することも出来る。
【実施例】
【００４３】
［実施例１］
図２（ａ）は、本発明の第１実施例に係る身体支持用弾性経編地の編組織を図示する。身体支持用弾性経編地は、表糸１５と地経糸１４と挿入糸１１によって編成されている。図２（ｂ）は、本発明の第１実施例に表糸１５と地経糸１４と挿入糸１１の各糸条の編組織を図示する。
表糸１５には、総繊度４５０（ｄｔｅｘ）のポリエステル・マルチフィラメント糸が使用されている。
地経糸１４と挿入糸１１には、総繊度３００（ｄｔｅｘ）のポリエーテル系エステル・モノフィラメント弾性糸が使用されている。
【００４４】
表糸は、第１群の表糸１５ａと第２群の表糸１５ｂとの２群に分けられている。
それら２群の表糸は、第１筬（フロント筬）と第２筬に分かれて導入されている。
第１筬（フロント筬）と第２筬では、それぞれ１本の筬針に表糸１５を挿通し、その表糸１５を挿通した１本の筬針に続く３本の筬針を糸抜き筬針としている。
即ち、筬針４本につき１本の割合で表糸１５を挿通し、筬針４本につき３本の割合で糸抜き筬針としている。
地経糸１４は、第３筬に導入され、１本の筬針に挿通し、その地経糸１４を挿通した１本の筬針に続く１本の筬針を糸抜き筬針としている。
即ち、地経糸１４は、筬針１本おきに挿通される。
挿入糸は、第１群の挿入糸１１ａと第２群の挿入糸１１ｂとの２群に分けられている。それら２群の挿入糸は、第４筬と第５筬（バック筬）に分かれて導入されている。
第４筬と第５筬（バック筬）では、それぞれ１本の筬針に挿入糸１１を挿通し、その挿入糸１１を挿通した１本の筬針に続く１本の筬針を糸抜き筬針としている。
即ち、挿入糸１１は、筬針１本おきに挿通される。
【００４５】
第１筬Ｌ１（フロント筬）は、２−３／１−０／２−３／１−０／………の順にスイングしている。
第２筬Ｌ２は、２−３／１−０／２−３／１−０／………の順にスイングしている。
第３筬Ｌ３は、１−０／０−１／１−０／０−１／………の順にスイングしている。
第４筬Ｌ４は、０−０／５−５／０−０／５−５／………の順にスイングしている。
第５筬Ｌ５（バック筬）は、５−５／０−０／５−５／０−０／………の順にスイングしている。
【００４６】
実施例１により得られた身体支持用弾性経編地のコース密度は２０（コース／２５．４ｍｍ）であり、ウエール密度は２０（ウエール／２５．４ｍｍ）であり、編幅方向における１０％伸長時の伸長応力（Ｗ）は１２０（Ｎ／５ｃｍ）であり、編成長さ方向における１０％伸長時の伸長応力（Ｖ）は１１０（Ｎ／５ｃｍ）であり、編幅方向における伸長応力（Ｗ）は編成長さ方向における伸長応力（Ｖ）の１．１倍であった。
【００４７】
［実施例２］
図３（ａ）は、本発明の第２実施例に係る身体支持用弾性経編地の編組織を図示する。身体支持用弾性経編地は、表糸１５と地経糸１４と絡み糸２２と挿入糸１１によって編成されている。
図３（ｂ）は、本発明の第１実施例に表糸１５と地経糸１４と絡み糸２２と挿入糸１１の各糸条の編組織を図示する。
表糸１５には、総繊度４５０（ｄｔｅｘ）のポリエステル・マルチフィラメント糸が使用されている。
地経糸１４と絡み糸２２と挿入糸１１には、総繊度３００（ｄｔｅｘ）のポリエーテル系エステル・モノフィラメント弾性糸が使用されている。
【００４８】
表糸は、第１群の表糸１５ａと第２群の表糸１５ｂとの２群に分けられている。
それら２群の表糸は、第１筬（フロント筬）と第２筬に分かれて導入されている。
第１筬（フロント筬）と第２筬では、それぞれ１本の筬針に表糸１５を挿通し、その表糸１５を挿通した１本の筬針に続く３本の筬針を糸抜き筬針とし、その３本の糸抜き筬針に続く１本の筬針に表糸１５を挿通し、その表糸１５を挿通した１本の筬針に続く１本の筬針を糸抜き筬針としている。
即ち、合計筬針６本につき合計２本の割合で表糸１５を挿通し、合計筬針６本につき合計４本の割合で糸抜き筬針としている。
地経糸１４は、第３筬に導入され、１本の筬針に挿通し、その地経糸１４を挿通した１本の筬針に続く１本の筬針を糸抜き筬針としている。
即ち、地経糸１４は、筬針１本おきに挿通される。
絡み糸２２は、第４筬に導入され、１本の筬針に挿通し、その絡み糸２２を挿通した１本の筬針に続く１本の筬針を糸抜き筬針としている。
即ち、絡み糸２２は、筬針１本おきに挿通される。
挿入糸は、第１群の挿入糸１１ａと第２群の挿入糸１１ｂとの２群に分けられている。それら２群の挿入糸は、第５筬と第６筬（バック筬）に分かれて導入されている。
第５筬と第６筬（バック筬）では、それぞれ１本の筬針に挿入糸１１を挿通し、その挿入糸１１を挿通した１本の筬針に続く１本の筬針を糸抜き筬針とし、筬針１本おきに挿通される。
【００４９】
第１筬Ｌ１（フロント筬）は、１−０／２−３／１−０／２−３／４−５／３−２／４−５／３−２／………の順にスイングしている。
第２筬Ｌ２は、４−５／３−２／４−５／３−２／１−０／２−３／１−０／２−３／………の順にスイングしている。
第３筬Ｌ３は、１−０／０−１／１−０／０−１／………の順にスイングしている。
第４筬Ｌ４は、１−１／０−０／１−１／０−０／………の順にスイングしている。
第５筬Ｌ５は、５−５／０−０／５−５／０−０／………の順にスイングしている。
第６筬Ｌ６（バック筬）は、０−０／５−５／０−０／５−５／………の順にスイングしている。
【００５０】
実施例２により得られた身体支持用弾性経編地のコース密度は２２（コース／２５．４ｍｍ）であり、ウエール密度は２０（ウエール／２５．４ｍｍ）であり、編幅方向における１０％伸長時の伸長応力（Ｗ）は１１０（Ｎ／５ｃｍ）であり、編成長さ方向における１０％伸長時の伸長応力（Ｖ）は９５（Ｎ／５ｃｍ）であり、編幅方向における伸長応力（Ｗ）は編成長さ方向における伸長応力（Ｖ）の１．１６倍であった。
【００５１】
［実施例３］
図４（ａ）は、本発明の第３実施例に係る身体支持用弾性経編地の編組織を図示する。身体支持用弾性経編地は、表糸１５と地経糸１４と絡み糸２２と挿入糸１１によって編成されている。
図４（ｂ）は、本発明の第１実施例に表糸１５と地経糸１４と絡み糸２２と挿入糸１１の各糸条の編組織を図示する。
表糸１５には、総繊度４５０（ｄｔｅｘ）のポリエステル・マルチフィラメント糸が使用されている。
地経糸１４には、総繊度１５０（ｄｔｅｘ）のポリエステル・マルチフィラメント糸が使用されている。
絡み糸２２と挿入糸１１には、総繊度３００（ｄｔｅｘ）のポリエーテル系エステル・モノフィラメント弾性糸が使用されている。
【００５２】
表糸は、第１群の表糸１５ａと第２群の表糸１５ｂとの２群に分けられている。
それら２群の表糸は、第１筬（フロント筬）と第２筬に分かれて導入されている。
第１筬（フロント筬）と第２筬では、それぞれ隣り合う２本の筬針に表糸１５を挿通し、その表糸１５を挿通した２本の筬針に続く４本の筬針を糸抜き筬針としている。
即ち、合計筬針６本につき合計２本の割合で表糸１５を挿通し、合計筬針６本につき合計４本の割合で糸抜き筬針としている。
地経糸１４は、第３筬に導入され、隣り合う２本筬針に挿通し、その地経糸１４を挿通した２本の筬針に続く１本の筬針を糸抜き筬針としている。
即ち、合計筬針３本につき合計２本の割合で地経糸１４を挿通し、合計筬針３本につき１本の割合で糸抜き筬針としている。
絡み糸２２は、第４筬に導入され、隣り合う２本筬針に挿通し、その絡み糸２２を挿通した２本の筬針に続く１本の筬針を糸抜き筬針としている。
即ち、合計筬針３本につき合計２本の割合で絡み糸２２を挿通し、合計筬針３本につき１本の割合で糸抜き筬針としている。
挿入糸は、第１群の挿入糸１１ａと第２群の挿入糸１１ｂとの２群に分けられている。それら２群の挿入糸は、第５筬と第６筬（バック筬）に分かれて導入されている。
第５筬と第６筬（バック筬）では、それぞれ隣り合う２本筬針に挿入糸１１を挿通し、その挿入糸１１を挿通した２本の筬針に続く１本の筬針を糸抜き筬針としている。
即ち、合計筬針３本につき合計２本の割合で挿入糸１１を挿通し、合計筬針３本につき１本の割合で糸抜き筬針としている。
【００５３】
第１筬Ｌ１（フロント筬）は、１−０／３−４／１−０／３−４／６−７／４−３／６−７／４−３／………の順にスイングしている。
第２筬Ｌ２は、６−７／４−３／６−７／４−３／１−０／３−４／１−０／３−４／………の順にスイングしている。
第３筬Ｌ３は、１−０／０−１／１−０／０−１／………の順にスイングしている。
第４筬Ｌ４は、１−１／０−０／１−１／０−０／………の順にスイングしている。
第５筬Ｌ５は、４−４／０−０／４−４／０−０／………の順にスイングしている。
第６筬Ｌ６（バック筬）は、０−０／４−４／０−０／４−４／………の順にスイングしている。
【００５４】
実施例３により得られた身体支持用弾性経編地のコース密度は２１（コース／２５．４ｍｍ）であり、ウエール密度は２０（ウエール／２５．４ｍｍ）であり、編幅方向における１０％伸長時の伸長応力（Ｗ）は１２５（Ｎ／５ｃｍ）であり、編成長さ方向における１０％伸長時の伸長応力（Ｖ）は５０（Ｎ／５ｃｍ）であり、編幅方向における伸長応力（Ｗ）は編成長さ方向における伸長応力（Ｖ）の２．５倍であった。
【符号の説明】
【００５５】
１１：挿入糸
１２：ニードルループ
１３：シンカーループ
１４：地経糸
１５：表糸
１６：ニードルループ
１７：シンカーループ
１８：凹部
１９：凸部
２０：糸抜き穴
２１：鎖編目列
２２：絡み糸
２３：編幅方向
２４：編成長さ方向